(57)【要約】【課題】  ねじりコイルばねの付勢力が強まる方向に操作する際に、ねじ杆に作用する側方分力を可及的に減じることにより、ねじ杆を軽力で回転し得るようにした、椅子における背凭れの傾動装置を提供する。【解決手段】  背凭れと一体的に回動する枢軸５に外嵌したねじりコイルばね１９の巻回部１９ａより接線方向に延出する第１アーム１９ｂを、枢軸５に固着した可動側ばね受け部材２６に係止し、かつ巻回部１９ａより接線方向に延出する第２アーム１９ｃの先端部に、付勢力調節手段２３における固定側ばね受け部材３２側に傾斜して、それに摺接し、かつ昇降駒３６がねじりコイルばね１９の引き締め方向に移動するにしたがって、摺接面が、漸次昇降駒３２の移動方向とほぼ直交する方向を向くようにした傾斜部１９ｄを設ける。【選択図】        図１０
2008237535.tif 000002
【特許請求の範囲】
【請求項１】
脚によって支持され、かつ座を支持する支基に、左右方向を向く枢軸を設け、この枢軸に、背凭れを支持するほぼ上下方向を向く背凭れフレームの下部より前方に向かって延出する左右１対の前向杆の前端部を固着することにより、前記枢軸と背凭れフレームとが一体となって回動するようにし、前記枢軸に巻回部を外嵌したねじりコイルばねにおける巻線の一方の端末を、前記巻回部より接線方向に延出させて形成した第１アームを、前記枢軸に固着した可動側ばね受け部材に係止し、かつ巻線の他方の端末を、前記巻回部より接線方向に延出させて形成した第２アームを、付勢力調節手段に摺接させ、前記付勢力調節手段を、支基内に、中心軸線回りに回転可能として枢支したほぼ上下方向を向くねじ杆と、このねじ杆を回転させる回転手段と、前記ねじ杆に螺合するねじ孔が設けられた昇降駒と、この昇降駒に設けられ、かつ前記第２アームが摺接するようにした固定側ばね受け部材とを備えるものとし、さらに、前記第２アームの先端部に、固定側ばね受け部材の摺接面側に傾斜し、かつ昇降駒がねじりコイルばねの引き締め方向に移動するにしたがって、固定側ばね受け部材と摺接する第２アームの摺接面が、漸次昇降駒の移動方向とほぼ直交する方向を向くようにした傾斜部を設けたことを特徴とする椅子における背凭れの傾動装置。
【請求項２】
傾斜部を、曲率中心が固定側ばね受け部材側に位置するなだらかな曲面とした請求項１記載の椅子における背凭れの傾動装置。
【請求項３】
昇降駒の移動範囲の大部分において、固定側ばね受け部材への第２アームの摺接部が、昇降駒の移動方向とほぼ直交する方向を向くようにした請求項１または２記載の椅子における背凭れの傾動装置。
【請求項４】
固定側ばね受け部材と摺接する第２アームの摺接面の法線が、昇降駒の移動範囲の中間部から上方における場合と、同じく下方における場合とで、互いに前後逆方向に傾斜するようにした請求項１〜３のいずれかに記載の椅子における背凭れの傾動装置。
【請求項５】
左右対称とした左右１対のねじりコイルばねの巻回部を、枢軸の両側部に外嵌し、互いに内側とした第２アームを、昇降駒の両側面に設けた１対の固定側ばね受け部材側に摺接させた請求項１〜４のいずれかに記載の椅子における背凭れの傾動装置。
【請求項６】
第１アームが、巻回部の下部より前方に向かって延出し、かつ第２アームが、巻回部の上部より前方に向かって延出するようにした請求項１〜５のいずれかに記載の椅子における背凭れの傾動装置。
【発明の詳細な説明】
【技術分野】
【０００１】
本発明は、座の後方より起立する背凭れを後傾可能とし、かつねじりコイルばねをもって、背凭れを起立する方向に付勢するようにした、椅子における背凭れの傾動装置に関する。
【背景技術】
【０００２】
従来の椅子における背凭れの傾動装置には、ねじりコイルばねにより、背凭れフレームを、起立する方向に向かって付勢するようにし、しかも、このねじりコイルばねの付勢力を調節しうるようにしたものがある(例えば特許文献１〜３参照)。
【特許文献１】実公平６−１０８７７号公報(第５図参照)
【特許文献２】実公平６−１８５３７号公報(第１図参照)
【特許文献３】特開２００４−６５８２９号公報(図１参照)
【特許文献４】特開２００３−７９４７２号公報(図６参照)
【発明の開示】
【発明が解決しようとする課題】
【０００３】
しかし、特許文献１に記載されているものにおいては、ねじりコイルばねにおける巻回部から接線方向に延出する一方のアームの先端部を、付勢力調節手段における固定側ばね受け部材(リテーナ)の摺接面側に傾斜するようにしてあるが、ねじりコイルばねの付勢力が強まる方向にグリップを回転させて、固定側ばね受け部材を上昇させると、固定側ばね受け部材と摺接するアームの摺接面の法線が、固定側ばね受け部材の移動方向に対して漸次大きく傾斜し、固定側ばね受け部材を支持するねじ杆(送りねじ)に、ねじりコイルばねの反力が、ねじ杆を倒そうとするように作用する。
したがって、ねじりコイルばねの付勢力が強まる方向にグリップを回転させればさせるほど、大きな操作力が必要となり、操作しづらい。
【０００４】
特許文献２〜４に記載されているものは、いずれもねじりコイルばねにおける一方のアームの先端部を、ねじ杆(調節杆、雄ねじ部、ボルト)により変位させられるようにした固定側ばね受け部材(フック、ばね支持部、ボルト受け)に、摺動することのないように係止し、固定側ばね受け部材の下降時に、ねじりコイルばねの巻回部を、縮径するように引き締めるようにしてあるので、操作ハンドル(つまみ)を、付勢力が強くなる方向に回転させる際に、大きな操作力を必要とし、操作しづらい。
【０００５】
本発明は、従来の技術が有する上記のような問題点に鑑み、ねじりコイルばねの付勢力が強まる方向に操作する際に、ねじ杆に作用する側方分力を可及的に減じることにより、ねじ杆を軽力で回転し得るようにするとともに、構造を簡素化及び小型化し得るようにした、椅子における背凭れの傾動装置を提供することを目的としている。
【課題を解決するための手段】
【０００６】
本発明によると、上記課題は次のようにして解決される。
(１)  脚によって支持され、かつ座を支持する支基に、左右方向を向く枢軸を設け、この枢軸に、背凭れを支持するほぼ上下方向を向く背凭れフレームの下部より前方に向かって延出する左右１対の前向杆の前端部を固着することにより、前記枢軸と背凭れフレームとが一体となって回動するようにし、前記枢軸に巻回部を外嵌したねじりコイルばねにおける巻線の一方の端末を、前記巻回部より接線方向に延出させて形成した第１アームを、前記枢軸に固着した可動側ばね受け部材に係止し、かつ巻線の他方の端末を、前記巻回部より接線方向に延出させて形成した第２アームを、付勢力調節手段に摺接させ、前記付勢力調節手段を、支基内に、中心軸線回りに回転可能として枢支したほぼ上下方向を向くねじ杆と、このねじ杆を回転させる回転手段と、前記ねじ杆に螺合するねじ孔が設けられた昇降駒と、この昇降駒に設けられ、かつ前記第２アームが摺接するようにした固定側ばね受け部材とを備えるものとし、さらに、前記第２アームの先端部に、固定側ばね受け部材の摺接面側に傾斜し、かつ昇降駒がねじりコイルばねの引き締め方向に移動するにしたがって、固定側ばね受け部材と摺接する第２アームの摺接面が、漸次昇降駒の移動方向とほぼ直交する方向を向くようにした傾斜部を設ける。
【０００７】
(２)  上記(１)項において、傾斜部を、曲率中心が固定側ばね受け部材側に位置するなだらかな曲面とする。
【０００８】
(３)  上記(１)または(２)項において、昇降駒の移動範囲の大部分において、固定側ばね受け部材への第２アームの摺接部が、昇降駒の移動方向とほぼ直交する方向を向くようにする。
【０００９】
(４)  上記(１)〜(３)項のいずれかにおいて、固定側ばね受け部材と摺接する第２アームの摺接面の法線が、昇降駒の移動範囲の中間部から上方における場合と、同じく下方における場合とで、互いに前後逆方向に傾斜するようにする。
【００１０】
(５)  上記(１)〜(４)項のいずれかにおいて、左右対称とした左右１対のねじりコイルばねの巻回部を、枢軸の両側部に外嵌し、互いに内側とした第２アームを、昇降駒の両側面に設けた１対の固定側ばね受け部材側に摺接させる。
【００１１】
(６)  上記(１)〜(５)項のいずれかにおいて、第１アームが、巻回部の下部より前方に向かって延出し、かつ第２アームが、巻回部の上部より前方に向かって延出するようにする。
【発明の効果】
【００１２】
本発明によると、次のような効果を奏することができる。
請求項１記載の発明によると、第２アームの先端部に、固定側ばね受け部材の摺接面側に傾斜し、かつ昇降駒がねじりコイルばねの引き締め方向に移動するにしたがって、固定側ばね受け部材と摺接する第２アームの摺接面が、漸次昇降駒の移動方向とほぼ直交する方向を向くようにした傾斜部を設けてあるので、ねじりコイルばねの付勢力が強まる方向に操作する際に、ねじ杆に作用する側方分力を可及的に減じることができ、ねじ杆を軽力で回転させることができる。
また、第２アームの先端部を折曲するだけでよく、特別の付加的な部材を設ける必要がないので、構造を簡素化及び小型化することができる。
【００１３】
請求項２記載の発明によると、傾斜部を、曲率中心が固定側ばね受け部材側に位置するなだらかな曲面としてあるので、第２アームは、固定側ばね受け部材に対して、円滑に摺動することができ、操作性を向上することができる。
【００１４】
請求項３記載の発明によると、昇降駒の移動範囲の大部分において、ねじ杆を軽力で回転させることができる。
【００１５】
請求項４記載の発明によると、固定側ばね受け部材と摺接する第２アームの摺接面の法線が、昇降駒の全移動範囲に亘って、昇降駒の移動方向から大きく傾くことがないようにすることができる。
【００１６】
請求項５記載の発明によると、背凭れを支持する枢軸と、昇降駒との間に作用する左右のねじりコイルばねによる付勢力の左右のバランスをよくすることがで、枢軸に、ねじれや、軸受への噛みつき(スティック)現象が生じるのを防止することができる。
【００１７】
請求項６記載の発明によると、ねじりコイルばねにおける第１アームと第２アームとが、巻回部よりともに前方に向かって延出するので、支基の前後方向の長さを短くすることができ、支基の小型化を図ることができる。
【発明を実施するための最良の形態】
【００１８】
以下、本発明の一実施形態を、図面に基づいて説明する。
図１は、本発明の一実施形態を備える椅子の前方斜視図、図２は、同じく分解前方斜視図である。
この椅子は、先端部にキャスタ１を設けた放射状の５本の脚杆２の中心部に立設された伸縮可能の脚柱３と、この脚柱３の上端に設けられた支基４と、この支基４に貫挿された左右方向を向く枢軸５と、この枢軸５の両端に固着された左右１対のブラケット６、６と、背凭れ７を支持するとともに、下端より前方に向かって延出する左右１対の前向杆８ａ、８ａを、枢軸５とブラケット６とに連結し、それらと一体となって、支基４に対して回動するようにした背凭れフレーム８と、座９を支持するとともに、後部が左右１対のブラケット６、６の後端部に連結され、かつ前部が左右１対のリンクレバー１０、１０をもって、支基４の前部に連結され、背凭れフレーム８の後傾動作に連動して、支基４に対して後下方に移動するようにした座受枠１１と、座９の両側部に設けられた肘掛装置１２、１２とを備えている。
【００１９】
図３〜図５は、支基４の内部機構を示す分解斜視図である。
この支基４は、脚柱３の上端に取付けられた基部１３ａと、この基部１３ａの前端両側部より前上方に向かって突出するとともに、周縁部に互いに内方を向く折曲縁部１３ｂが形成された左右１対の腕部１３ｃ、１３ｃとを有する、平面視ほぼ前向Ｕ字状の支基フレーム１３を備えている。
基部１３ａは、中央部に脚柱３の上端部が下方より圧嵌されるようにした受孔１４を有する水平板１５の両側部と後部とに、上下の縁が内方を向くように円弧状に折曲された外周枠１６を固着してなり、外周枠１６は、左右の腕部１３ｃ、１３ｃに連続するように形成されている。
【００２０】
支基フレーム１３における左右の腕部１３ｃ、１３ｃの内面には、補強板１７がそれぞれ固着されており、各腕部１３ｃと補強板１７とにより、中空箱状体を形成して、強度を高め、使用する材料の板厚を大としたり、高価な材料を用いたりする必要がないようにしてある。
【００２１】
各腕部１３ｃと補強板１７との後部には、左右方向を向く軸受筒１８が止着され、左右の軸受筒１８、１８には、左右方向を向く枢軸５の端部が枢支されている。
枢軸５には、背凭れ７を起立する方向に付勢する付勢手段である左右１対のねじりコイルばね１９、１９が外嵌されている。
また、左右の腕部１３ｃと補強板１７との前部には、枢軸５と平行をなし、かつ座９の前部を支持する左右１対のリンクレバー１０、１０の下端部を枢支する左右方向を向く支軸２０が貫設されている。
【００２２】
支基フレーム１３の左右の腕部１３ｃ、１３ｃと補強板１７、１７との上部同士および下部同士間には、それぞれ上部連結板２１および下部連結板２２が架設され、この上下部連結板２１、２２を嵌挿して、左右１対のねじりコイルばね１９、１９の付勢力調節手段２３が取付けられている。
【００２３】
このように、支基フレーム１３を平面視ほぼ前向Ｕ字状とし、その両腕部１３ｃ、１３ｃの内面に補強板１７、１７を取り付けてあるので、その間に、付勢手段である左右１対のねじりコイルばね１９、１９や、付勢力調節手段２３等の部材を、上方からだけでなく、下方や前方からも取り付けることができ、組立ての能率を向上させることができるとともに、支基４の強度を高めることができる。
【００２４】
さらに、支基フレーム１３に、補強板１７、１７、ねじりコイルばね１９、１９、付勢力調節手段２３、上下部連結板２１、２２、および後述する支基４内の部品を取り付けた状態で、それらを、上部カバー２４と下部カバー２５とにより、上下から覆ってあるので、支基４の外観は体裁よくなっている。
【００２５】
次に、支基４内における背凭れの傾動装置の詳細について説明する。
枢軸５は、両端部を円形軸部５ａ、５ａとし、それ以外の中間部分は角軸部５ｂとしてあり、左右の補強板１７、１７により挟まれた空間内における角軸部５ｂの両側部には、可動側ばね受け部材２６における左右方向を向くばね受片２６ａの両側端より後上方に起立する両側片２６ｂ、２６ｂの先端部に設けられて角孔２７、２７が外嵌され、可動側ばね受け部材２６は、枢軸５および背凭れ７と一体となって回動するようになっている。
【００２６】
左右のねじりコイルばね１９、１９は、左右対称をなし、各巻回部１９ａの外側端部には、巻線の外端末を、下部から前方に向けて延出させたて第１アーム１９ｂが形成され、巻回部１９ａの内側端部には、巻線の内端末を上部から前方に向けて延出させた第２アーム１９ｃが形成されている。
【００２７】
第２アーム１９ｃの先端部には、後述する固定側ばね受け部材３２の摺接面側にむかって、すなわち前上方に向かって傾斜し、かつ後述する昇降駒３６がねじりコイルばね１９の引き締め方向に移動するにしたがって、固定側ばね受け部材３２と摺接する第２アーム１９ｃの摺接面が、漸次昇降駒３６の移動方向とほぼ直交する方向を向くようにした傾斜部１９ｄが設けられている。
【００２８】
可動側ばね受け部材２６における左右の側片２６ｂ、２６ｂ間における枢軸５の角軸部５ｂには、図６〜図８に示すように、両ねじりコイルばね１９、１９の巻回部１９ａへ嵌合されるようにしたガイド筒２８における角孔２９が外嵌されている。
ガイド筒２８は、上半部２８ａと下半部２８ｂとに分離可能となっており、上半部２８ａの左右方向の中央部外周面には、半環状の凹溝３０が、また下半部２８ｂの左右方向の中央部外周面には、半円弧状の拡径鍔３１が設けられている。
【００２９】
ガイド筒２８におけるねじりコイルばね１９の第１アーム１９ｂが当接する下半部２８ｂの外端部と、同じく第２アーム１９ｃが当接する上半部２８ａの内方寄りの部分とは、他部より大径の最大径部としてあり、上半部２８ａの他の外周面は、上記最大径部より外方に向かって漸次小径となるテーパー面とし、下半部２８ｂの他の外周面は、上記最大径部より内方に向かって漸次小径となるテーパー面としてある。なお、テーパー面ではなく、階段状等とすることもある。
【００３０】
図８に示すように、各ねじりコイルばね１９における第１アーム１９ｂと第２アーム１９ｃとは、常時ガイド筒２８の外周面に当接し、その当接部分から離れるに従って漸次拡大する楔状の空間が、各ねじりコイルばね１９の巻回部１９ａの内面とガイド筒２８の外周面との間に形成され、この空間により、各ねじりコイルばね１９の巻き締め時の縮径が許容されるようになっている。
【００３１】
したがって、各ねじりコイルばね１９における上下のアーム１９ｂ、１９ｃは、同方向に延出させても、常時ガイド筒２８に当接して案内され、ねじりコイルばね１９は、上下方向に捩れが生じたり、遊動したりすることなく、安定して支持され、設定通りの反力が得られる。
また、各ねじりコイルばね１９における第１アーム１９ｂと第２アーム１９ｃとは、ともに巻回部１９ａから同方向に延出されているので、ねじりコイルばね１９自体、およびそれを収容する部分等の前後方向の寸法を小として、小型化を図ることができる。
さらに、各ねじりコイルばね１９は、ガイド筒２８における上記テーパー面に沿って、円滑に拡縮することができる。
【００３２】
左右のねじりコイルばね１９、１９における各第１アーム１９ｂは、可動側ばね受け部材２６におけるばね受片２６ａの上面の両側部に当接するように係止され、また第２アーム１９ｃの傾斜部１９ｄは、付勢力調節手段２３における固定側ばね受け部材３２の下面に当接させられている。
【００３３】
付勢力調節手段２３は、上部連結板２１と下部連結板２２との中央部間に回転自在に枢支され、かつ下部連結板２２の下方に設けた回転ハンドル３３により回転させられるようにしたほぼ上下方向を向くねじ杆３４と、このねじ杆３４に螺合するねじ孔３５が中央に設けられた昇降駒３６と、この昇降駒３６の左右両側面に枢着されたローラー状とした１対の上記固定側ばね受け部材３２、３２とからなっている。
【００３４】
可動側ばね受け部材２６は、左右のねじりコイルばね１９、１９により、下方に向かって付勢され、常時は、下部連結板２２の上面に設けたストッパ３７に当接して停止されており、このとき、背凭れ７は、起立状態となっている。
この状態から、着座者が背凭れ７を後方に押すと、背凭れ７は、左右のねじりコイルばね１９、１９の付勢力に抗して、枢軸５、可動側ばね受け部材２６等と一体となって、枢軸５を中心として後傾することができ、両ねじりコイルばね１９、１９の付勢力は、背凭れ７の起立方向への復帰回動力として作用する。
【００３５】
この復帰回動力は、付勢力調節手段２３により調節することができる。
すなわち、回転ハンドル３３により、ねじ杆３４を回転させて、昇降駒３６を下降させると、左右のねじりコイルばね１９、１９が同期して巻き締められて、背凭れ７の起立方向への付勢力が強くなり、逆に、昇降駒３６を上昇させると、左右のねじりコイルばね１９、１９は同期して緩められ、背凭れ７の起立方向への付勢力が弱くなる。
【００３６】
第２アーム１９ｃの先端部を、特許文献２〜４におけるのと同様に、例えばＵ状に折り返して、固定側ばね受け部材３２に係止したのでは、昇降駒３６を下降させた際に、第２アーム１９ｃの先端部が、それに伴って引き下げられ、そのときの反力が固定側ばね受け部材３２に強く作用し、回転ハンドル３３を、ねじりコイルばね１９、１９の付勢力が強まる方向に操作しづらくなるが、この実施形態においては、第２アーム１９ｃが、固定側ばね受け部材３２に対して摺動しうるようにしてあり、しかも固定側ばね受け部材３２をローラーとして、昇降駒３６に回転自在に取り付けてあるので、回転ハンドル３３を軽力で操作することができる。
【００３７】
また、この実施形態においては、第２アーム１９ｃの先端部に、固定側ばね受け部材３２の摺接面側に傾斜し、かつ昇降駒３６がねじりコイルばね１９の引き締め方向に移動するにしたがって、固定側ばね受け部材３２と摺接する第２アーム１９ｃの摺接面が、漸次昇降駒３６の移動方向とほぼ直交する方向を向くようにした傾斜部１９ｃを設けてあるので、特許文献１に記載されているもののように、ねじりコイルばね１９の反力が、ねじ杆３４を倒そうとする方向に大きく作用することがなく、このねじ杆３４に作用する側方分力を可及的に減少することができる。
【００３８】
図１０を参照して詳細に説明すると、この実施形態においては、傾斜部１９ｄを、固定側ばね受け部材３２と摺接する第２アーム１９ｃの摺接面の法線Ｌが、昇降駒３６がその移動範囲の中間部に位置しているときは、昇降駒３６の移動軌跡と同一方向を向き(L1)、かつ昇降駒３６の移動範囲の中間部から上方における場合(L2)と、同じく下方における場合(L3)とで、互いに前後逆方向に傾斜するような形状としてある。
【００３９】
これによって、固定側ばね受け部材３２と摺接する第２アーム１９ｃの摺接面の法線Ｌが、昇降駒３６の全移動範囲に亘って、昇降駒３６の移動方向から大きく傾くことがないようにすることができるとともに、回転ハンドル３３の回転操作力の変動を最小限に止めることができる。
【００４０】
図１１は、第２アーム１９ｃの傾斜部１９ｄの変形例を示すもので、この例では、傾斜部１９ｄ'の形状を、曲率中心Ｏが、固定側ばね受け部材３２側に位置するなだらかな曲面とすることによって、昇降駒３６の移動範囲の大部分において、固定側ばね受け部材３２への第２アーム１９ｃの摺接部が、昇降駒３６の移動方向とほぼ直交する方向を向くようにしてある。
【００４１】
こうすることによって、第２アーム１９ｃは、固定側ばね受け部材３２に対して、円滑に摺動することができるとともに、昇降駒３６の移動範囲の大部分において、ねじ杆を軽力で回転させることができる。
【００４２】
支基４には、背凭れ７を、段階的な所望の傾斜角度でロックするロック装置３８、その他の装置や部材が装着されているが、それらについては本発明に直接関係しないため、詳細な説明を省略する。
【００４３】
本発明は、上記の実施形態のみに制限されるものではなく、特許請求の範囲を逸脱しない範囲で、変形した態様での実施が可能である。
例えば、ねじりコイルばね１９を１個のみとしたり、その第１アーム１９ｂを、巻回部１９ａより後方に向けて延出させて、枢軸５より後方に設けた可動側ばね受け部材２６に当接させたりすることもできる。
【図面の簡単な説明】
【００４４】
【図１】本発明の一実施形態を備える椅子の斜視図である。
【図２】同じく、分解斜視図である。
【図３】支基の分解斜視図である。
【図４】支基の一部を組み付けたときの分解斜視図である。
【図５】支基の大部分を組み付けたときの分解斜視図である。
【図６】枢軸にガイド筒を外嵌したときの斜視図である。
【図７】同じく、正面図である。
【図８】同じく、縦断正面図である。
【図９】支基の要部の絨毯側面図である。
【図１０】付勢力調節手段の作用を説明するための作用説明図である。
【図１１】ねじりコイルばねにおける傾斜部の変形例を示す、図１０と同様の作用説明図である。
【符号の説明】
【００４５】
１  キャスタ
２  脚杆
３  脚柱
４  支基
５  枢軸
５ａ円形軸部
５ｂ角軸部
６  ブラケット
７  背凭れ
８  背凭れフレーム
８ａ前向杆
９  座
１０  リンクレバー
１１  座受枠
１２  肘掛装置
１３  支基フレーム
１３ａ基部
１３ｂ折曲縁
１３ｃ腕部
１４  受け孔
１５  水平板
１６  外周縁
１７  補強板
１８  軸受筒
１９  ねじりコイルばね
１９ａ巻回部
１９ｂ第１アーム
１９ｃ第２アーム
１９ｄ傾斜部
２０  支軸
２１  上部連結板
２２  下部連結板
２３  付勢力調節手段
２４  上部カバー
２５  下部カバー
２６  可動側ばね受け部材
２６ａばね受け片
２６ｂ側片
２７  角孔
２８  ガイド筒
２８ａ上半部
２８ｂ下半部
２９  角孔
３０  凹溝
３１  拡径鍔
３２  固定側ばね受け部材
３３  回転ハンドル
３４  ねじ杆
３５  ねじ孔
３６  昇降駒
３７  ストッパ
３８  ロック装置
【図１】
2008237535.tif 000003
【図２】
2008237535.tif 000004
【図３】
2008237535.tif 000005
【図４】
2008237535.tif 000006
【図５】
2008237535.tif 000007
【図６】
2008237535.tif 000008
【図７】
2008237535.tif 000009
【図８】
2008237535.tif 000010
【図９】
2008237535.tif 000011
【図１０】
2008237535.tif 000012
【図１１】
2008237535.tif 000013